(57)【要約】【課題】建物の建設現場において施工箇所の品質検査を行う際に得られる建物検査情報を、正確に、且つ、効率よく管理することのできる装置を提供すること。【解決手段】本発明の建物検査情報取得装置１０は、緯度経度座標が付与された図面データ２５と、図面データ２５を表示させる表示部１１と、表示部１１に表示された図面データ２５上の検査位置を入力するための入力部１２と、検査箇所を撮像する撮像部１３と、表示部１１に表示された図面データ２５上の検査位置が入力された場合に、撮像部１３を起動させ、撮像部１３によって撮像された撮像データ２３を、検査位置の緯度経度座標及び検査日時に対応付けて記憶部１７に格納する制御部３０と、を備えている。【選択図】        図１
2008197750.tif 000002
【特許請求の範囲】
【請求項１】
緯度経度座標が付与された図面データと、
前記図面データを表示させる表示部と、
前記表示部に表示された図面データ上の検査位置を入力するための入力部と、
検査箇所を撮像する撮像部と、
前記表示部に表示された図面データ上の検査位置が入力された場合に、前記撮像部を起動させ、前記撮像部によって撮像された撮像データを、前記検査位置の緯度経度座標及び検査日時に対応付けて記憶部に格納する制御部と、
を備えたことを特徴とする建物検査情報取得装置。
【請求項２】
前記緯度経度座標が前記図面データ上にブロック単位で付与されていることを特徴とする請求項１に記載の建物検査情報取得装置。
【請求項３】
前記制御部は、
検査対象となる建物が複数階を有する場合、前記表示部に表示された図面データ上の検査位置が入力され且つ階情報が選択された場合に、前記撮像部を起動させることを特徴とする請求項１又は２に記載の建物検査情報取得装置。
【発明の詳細な説明】
【技術分野】
【０００１】
本発明は、建物の建設現場において施工箇所の品質検査を行う際に、検査箇所の撮像データ、検査位置データ、検査日時等の建物検査情報を取得する装置に関する。
【背景技術】
【０００２】
従来、建物の建設現場では、各工事において施工が正しく行われているか否かを定期的に検査し、検査箇所の施工状態、検査位置、検査日時等をその都度記録することが行われている。このような建設現場での工事記録の作成を支援する装置として、例えば特許文献１に示すような装置がある。この装置は、検査者が施工現場を巡回する際に携帯可能な端末装置であり、検査者によって入力された検査結果を建物ごとに記録するものである。
【０００３】
【特許文献１】特開平５−６１８８３号公報
【発明の開示】
【発明が解決しようとする課題】
【０００４】
ところで、上述した工事記録においては、端末装置に入力された検査結果とともに、品質検査が確かに行われたという証拠として、検査箇所を撮影した写真を記録するようにしている。しかしながら、例えば集合住宅のように階数や部屋数の多い建物を検査する場合、あるいは、複数の建物を巡回するような場合には、品質検査箇所が多くなり、検査箇所を撮影した記録写真も膨大な数となる。さらに、検査において不具合箇所が発見された場合には、不具合箇所の修理を施工業者に指示し、修理が完了した後に修理箇所のチェックを行い、是正後の検査箇所を撮影して記録する必要がある。その結果、記録写真の整理に過大な手間を要することになるだけでなく、上述した端末装置に入力された検査結果と、記録写真との対応がつかなくなるという事態を招来し、個々の記録写真がどの建物の、どの工事の、どの検査箇所を、いつ撮影したものであるかが分からなくなるといった問題が生じる。
【０００５】
本発明は、上記の点に鑑み、建物の建設現場において施工箇所の品質検査を行う際に得られる建物検査情報を、正確に、且つ、効率よく管理することのできる装置を提供することを目的とする。
【課題を解決するための手段】
【０００６】
本発明の建物検査情報取得装置は、緯度経度座標が付与された図面データと、前記図面データを表示させる表示部と、前記表示部に表示された図面データ上の検査位置を入力するための入力部と、検査箇所を撮像する撮像部と、前記表示部に表示された図面データ上の検査位置が入力された場合に、前記撮像部を起動させ、前記撮像部によって撮像された撮像データを、前記検査位置の緯度経度座標及び検査日時に対応付けて記憶部に格納する制御部と、を備えたことを特徴とする。
【０００７】
また、本発明の請求項２の建物検査情報取得装置は、上記請求項１において、前記緯度経度座標が前記図面データ上にブロック単位で付与されていることを特徴とする。
【０００８】
また、本発明の請求項３の建物検査情報取得装置は、上記請求項１又は２において、前記制御部は、検査対象となる建物が複数階を有する場合、前記表示部に表示された図面データ上の検査位置が入力され且つ階情報が選択された場合に、前記撮像部を起動させることを特徴とする。
【発明の効果】
【０００９】
本発明の建物検査情報取得装置によれば、表示部に表示された図面データ上の検査位置が入力された場合に撮像部を起動させ、撮像部によって撮像された撮像データを、検査位置の緯度経度座標及び検査日時に対応付けて記憶させるようにしたので、個々の撮像データが、どの建物のどの箇所をいつ撮影したものであるかが一意に定まる。その結果、検査情報が膨大な数になる場合であっても、これらを正確に、且つ、効率よく管理することができるようになる。さらに、複数の建物の検査情報を、緯度経度座標という共通の座標でとらえることにより、これらを統一的に管理することができる。
【発明を実施するための最良の形態】
【００１０】
以下に、添付図面を参照して、本発明の建物検査情報取得装置の好適な実施の形態について詳細に説明する。
【００１１】
図１は、本実施の形態である建物検査情報取得装置１０と、この建物検査情報取得装置１０によって得られた建物検査情報を管理する建物検査情報管理装置１００のブロック図であり、図２は建物検査情報取得装置１０の斜視図である。本実施の形態で適用される建物検査情報取得装置１０は、建物の建設現場において、検査者が各工事における施工箇所の品質検査を行う際に、検査箇所の撮像データ、検査位置データ及び検査日時等の検査情報を取得する装置であり、図２に示すように、携帯可能な機器から構成されるものである。本実施の形態では、この建物検査情報取得装置１０として、撮像機能を有する携帯情報端末装置(PDA : Personal Digital Assistance)を適用している。一方、建物検査情報管理装置１００は、建物検査情報取得装置１０で取得した建物検査情報をデータベース化して管理するものであり、例えばＰＣ端末装置から構成されるものである。なお、以下の説明では、説明の便宜上、本実施の形態の建物検査情報取得装置１０を単に「携帯端末装置１０」と呼び、建物検査情報管理装置１００を「ＰＣ端末装置１００」と呼ぶことにする。
【００１２】
まず、本実施の形態である携帯端末装置１０について説明する。図１に示すように、携帯端末装置１０は、表示部１１、入力部１２、撮像部１３、記憶部１４、ＩＦ部１８及び制御部３０とを備えている。
【００１３】
表示部１１は、検査対象となる建物の図面データを表示させるものである。この表示部１１は、例えば液晶表示装置（ＬＣＤ：Liquid Crystal Display）または有機ＥＬ（Electroluminescence）を利用した表示装置等から構成してあり、図２に示すように携帯端末装置１０の正面側パネル２１に設けてある。
【００１４】
入力部１２は、表示部１１に表示された図面データ上に、検査位置や各種コメント等を入力するためのものである。この入力部１２は、例えば、表示部１１のディスプレイと一体に構成されるタッチパネル１２ａ、タッチパネル上の位置を指示するための入力用ペン１２ｂ、及び、カーソルキー、数字キー等の各種キーからなる入力キー１２ｃ等から構成してある。なお、図２ではタッチパネル１２ａと入力用ペン１２ｂによる入力動作の一例を示している。
【００１５】
撮像部１３は、光の信号を電気信号に変換することにより、被写体である検査箇所の撮像データを作成するディジタルカメラであり、携帯端末装置１０の図示しない裏面側パネルに設置してある。撮像部１３で撮影された撮像データは、撮像時刻とともに撮像部１３のメモリに一時的に記憶される。撮像データ２３の一例を図３に示す。なお、図３に示す撮像データ２３は、集合住宅エントランスの玄関ドアを撮影したものであり、点線の丸で囲まれた部分が不具合箇所を示している。
【００１６】
記憶部１４は、各種プログラムやデータを格納するものであり、図面データ記憶部１５、検査位置データ記憶部１６及び建物検査情報記憶部１７とを備えている。
【００１７】
図面データ記憶部１５は、検査対象となる建物の図面データを格納するものである。図２に示すように、図面データ２５は、検査者が現場で検査を行う際に表示部１１の画面上に表示させて、検査箇所の位置を入力するためのものである。以下、この図面データについて詳細に説明する。
【００１８】
図面データ２５は、検査対象となる建物の平面図に緯度経度座標が付与されたものである。図面データ２５の元となる建物平面図としては、建物の設計図等を適用することができる。なお、この建物平面図は、検査者が現場で入力を行う際に検査箇所のおおよその位置を認識できる程度のものでもよく、必ずしも設計図のような精密な図面である必要はない。従って建設地の敷地情報等を適用することも可能である。
【００１９】
図２に示すように、緯度経度座標は、建物平面図上にブロック単位で付与されている。ここで、ブロック２５ａとは、緯度経度座標を付与する際の最小単位であり、ひとつのブロック２５ａ内の点に対しては、同じ緯度経度が付与される。これにより、図面データ２５上のすべての点に対して緯度経度座標が付与されることになる。すなわち、携帯端末装置１０では、図面データ２５上の任意の点（位置）における緯度経度座標を取得することが可能である。なお、図２に示したブロック２５ａは説明の便宜上示したものであり、実際には画面上には表示されない。また、ブロック２５ａの大きさもこれに限定されるものではないのはもちろんである。本実施の形態では、図面データ２５の作成、すなわち、建物平面図への緯度経度座標の付与を、後述するＰＣ端末装置１００の図面データ作成部３１０において行い、ＰＣ端末装置１００からインタフェース部を介して、図面データ２５を携帯端末装置１０の図面データ記憶部１５に格納するようにしている。この図面データ２５の作成方法については後述する。
【００２０】
検査位置データ記憶部１６は、図２に示すように表示部１１の画面上に表示された図面データ２５上のある位置が検査者によって入力された場合に、入力位置の緯度経度座標を検査位置データとして記憶するものである。この緯度経度座標は、例えば、北緯３５度３９分３３．５０１秒，東経１３９度４８分３．７７９秒といった態様で記憶される。また、検査位置データ記憶部１６は、入力位置の緯度経度座標を記憶するとともに、建物が複数階を有する場合には、入力位置のフロア（階）情報を合わせて記憶する。
【００２１】
建物検査情報記憶部１７は、建物検査情報を格納するものである。建物検査情報とは、後述する検査位置データ付与部３１によって、撮像部３１で撮影された撮像データ及び撮像時刻を、検査位置データ記憶部１６に記憶された検査位置データに対応付けたデータである。
【００２２】
ＩＦ部１８は、携帯端末装置１０と後述するＰＣ端末装置１００との間で各種データを入出力するためのものである。このＩＦ部１８は、データの入出力時には有線又は無線通信手段によりＰＣ端末装置１００と接続し、建設現場での検査時にはＰＣ端末装置１００と切り離して用いる。
【００２３】
制御部３０は、上述した表示部１１、入力部１２、撮像部１３、ＩＦ部１８の制御を行うものであり、上述した検査位置データ付与部３１を備えている。制御部３０は、表示部１１に表示された図面データ上の検査位置が検査者によって入力された場合に、入力位置の緯度経度座標を検査位置データ記憶部１６に格納するとともに、撮像部１３を起動させる。次いで、撮像部１３によって検査箇所が撮像された場合に、検査位置データ付与部３１を通じて、検査位置データ記憶部１６に格納された緯度経度座標を読み出し、撮像データ及び撮像時刻を、検査位置の緯度経度座標に対応付け、これを建物検査情報記憶部１７に格納する。
【００２４】
上述した携帯端末装置１０において作成された建物検査情報は、ＩＦ部１８を介してＰＣ端末装置１００に送られ、ＰＣ端末装置１００において管理されることになる。
【００２５】
次に、ＰＣ端末装置１００について説明する。ＰＣ端末装置１００は、表示部１１０、入力部１２０、検査情報データベース１３０、記憶部１４０、ＩＦ部１８０、及び、制御部３００とを備える。表示部１１０は、例えば液晶表示装置等のディスプレイから構成してある。入力部１２０は、例えばカーソルキー、数字キー等の各種キーからなる入力キー等から構成してある。ＩＦ部１８０は、上述した携帯端末装置１０のＩＦ部１８との間で上述した図面データ及び建物検査情報を入出力するものである。
【００２６】
検査情報データベース１３０は、携帯端末装置１０から送られた建物検査情報を蓄積して管理するデータベースである。以下、「検査情報データベース１３０」を省略して「データベース１３０」と呼ぶ。図４は、データベース１３０のテーブル構造の一部を示したものである。なお、図４に示すデータベースは、携帯端末装置１０から建物検査情報を受け取り、データベースに格納した直後の状態が示されている。図４に示すように、データベース１３０は、「ＩＤ」、「写真」、「階」、「北緯」、「東経」、「検査日」、「部位・箇所」、「不具合」、「処置」、「確認」、「コメント」、「確認日」、「是正写真」の項目から構成されている。「ＩＤ」は個々の撮像データを識別するための識別子、「写真」は撮像データ、「階」は検査箇所の階数、「北緯」「東経」はそれぞれ検査位置の緯度経度、「検査日時」は撮像日時、「部位・箇所」は不具合箇所の位置、「不具合」は不具合の内容、「処置」は具体的な修理内容と施工業者名、「確認」は再検査が行われた否かのチェック、「コメント」は再検査後の施工状態に対するコメント、「確認日」は再検査日時、「是正写真」は修理後の写真をそれぞれ示している。図４に示すように、携帯端末装置１０から受け取った建物検査情報は、自動的に「ＩＤ」、「写真」、「階」、「北緯」、「東経」、「検査日」の項目ごとに格納される。なお、これら以外の残りの項目については、後述するように、検査者がＰＣ端末装置１００の入力部１２０から入力することになる。
【００２７】
記憶部１４０は、各種プログラムやデータ等を格納するものであり、地図データ記憶部１４１及び図面データ記憶部１４２を備える。地図データ記憶部１４１は、緯度経度座標を持つ地図データを記憶するものである。この緯度経度座標を持つ地図データは、建物の平面図データに緯度経度座標を付与するために用いられるものであり、検査対象となる建物付近を示す市販の地図データを適用することができる。また、図面データ記憶部１４２は、上述した建物の平面図データを記憶するものである。
【００２８】
制御部３００は、上述した表示部１１０、入力部１２０、ＩＦ部１８０の制御を行うものであり、図面データ作成部３１０及び管理図作成部３２０を備えている。
【００２９】
図面データ作成部３１０は、図面データ記憶部１４２に格納された建物平面図データに緯度経度座標を付与するものである。この図面データ作成部３１０において建物の平面図データに緯度経度座標を付与する方法は公知の方法を適宜適用することができる。本実施の形態では、図面上の２点の緯度と経度を入力することにより図面上のすべての位置に緯度経度座標を付与している。より詳細に説明すると、まず、図面データ作成部３１０は、地図データ記憶部１４１に格納された緯度経度座標を持つ地図データと、図面データ記憶部１４２に格納された建物平面図データとを表示部１１０の画面上に表示させる。次いで、緯度経度座標を持つ地図データと、建物平面図データとの各々で一致する２点が検査者によって選択されると、図面データ作成手段３１０は、地図上の２点と建物平面図上の２点が一致するように建物平面図を回転させ、また、縮尺を変更する。これにより地図データの緯度経度座標と、建物平面図データの座標（２点）が対応付けられる。緯度経度座標と建物平面図の座標の対応に従って、建物平面図データに緯度経度座標の付与が行われる。以上の手順により作成された図面データは図面データ記憶部１４２に格納される。
【００３０】
記録図作成部３２０は、上述したデータベース１３０から各種記録図を作成するものである。具体的には、記録図作成部３２０は、すべての建物検査情報から不具合箇所のデータのみを抽出し、これらを工程別、フロア別といった様々な態様で表示部１１０に表示させるとともに、プリンタ等の印字手段に出力するものである。この記録図の内容については後述する。
【００３１】
次に、図５は、建物検査取得装置１０の制御部３０が行う動作の流れを示したフローチャートである。以下、この図５を参照しながら、新規に品質検査を行う場合の制御部３０の動作について説明する。
【００３２】
新規に品質検査を行う場合には、ＰＣ端末装置１００の図面データ記憶部１４２に格納された図面データが、ＩＦ部１８０，１８を介して予め携帯端末装置１０に転送され、携帯端末装置１０の図面データ記憶部１５に格納された状態となっている。
【００３３】
検査者が建設現場において携帯端末装置１０を起動させると、制御部３０は、「新規の検査」又は「再検査」を検査者に選択させる画面を表示させる（ステップＳ０１）。検査者によって「新規の検査」が選択されると（ステップＳ０１：ＹＥＳ）、制御部３０は、表示部１１を通じて新規の図面データを画面上に表示させる（ステップＳ０２）。ここで、検査者はある施工箇所の検査を開始し、当該施工箇所の位置を入力する。画面上の図面データの検査箇所が検査者によって入力されると（ステップＳ０３：ＹＥＳ）、制御部３０は、入力部１２から入力位置の緯度経度座標を受け取り、これを検査位置データ記憶部１６に格納する（ステップＳ０４）。次いで、制御部３０は、表示部１１の画面上にフロアリストを表示させる（ステップＳ０５）。なお、フロアリストとは、建物が複数階を有する場合に、階数を選択させるためのリストである。検査者によってあるフロアが選択されると（ステップＳ０６：ＹＥＳ）、制御部３０は、選択されたフロア情報を検査位置データ記憶部１６に格納し（ステップＳ０７）、撮像部１３を起動させる（ステップＳ０８）。検査者によって撮像部１３の撮影ボタンが押下されると（ステップＳ０９：ＹＥＳ）、制御部３０は、撮像部１３において撮像データを作成させる。撮像部１３はこの撮像データを撮像日時とともに撮像部１３のメモリに記憶する。次いで、制御部３０は、検査位置データ付与部３１を通じて、検査位置データ記憶部１６に格納された検査位置データを読み出し、撮像部１３のメモリに記憶された撮像データに検査位置データを対応付け、これを建物検査情報記憶部１７に格納する（ステップＳ１０）。次に、制御部３０は表示部１１の画面上に、検査終了であるか否かを検査者に選択させる画面を表示させる（ステップＳ１１）。ここで、検査者によって検査終了が選択された場合には、検査を終了させる（ステップＳ１１：ＹＥＳ）。一方、検査を継続させる場合には（ステップＳ１１：ＮＯ）、ステップＳ０２に戻って図面データを表示させ、ステップＳ０２以降の処理を実行する。以上の処理を繰り返すことによって、携帯端末装置１０は、個々の撮像データに緯度経度座標、フロア情報、撮像日時が対応付けられた建物検査情報を取得する。
【００３４】
なお、上記のステップＳ０９において、制限時間内に撮影ボタンが押下されなかった場合には、ステップＳ０４の緯度経度情報をリセットし、撮像部をＯＦＦにして、ステップ０２に戻る構成としてもよい。これにより、検査位置データと撮像データの対応付けがずれるのを防止することができる。
【００３５】
建設現場での新規検査が終了すると検査者は事務所に戻り、携帯端末装置１０が取得した建物検査情報を、事務所に設置されたＰＣ端末装置１００に転送する。ＰＣ端末装置１００の制御部３００は、ＩＦ部１８０を介して建物検査情報を受け取ると、個々の撮像データを識別するためのＩＤ番号を付与し、「写真」、「階」、「北緯」、「東経」、「検査日時」の項目ごとに建物検査情報をデータベース１３０に格納する。検査者によってデータベーステーブルの表示要求が入力されると、制御部３００は、図４に示すデータベーステーブルを表示部１２０の画面上に表示させ、「部位・場所」、「不具合」、「処置」項目欄の入力待ち状態となる。不具合が見つかった箇所のデータについては、検査者によって「部位・場所」、「不具合」、「処置」欄への入力がなされる。一方、施工が正しく行われていた箇所のデータについては入力はなされず、これらの項目は空欄となる。入力が終了すると、制御部３００はデータベース１３０を更新する。データベース更新後のデータベース１３０のテーブル構造の一部を図６に示す。
【００３６】
データベース１３０が更新され、検査者によって記録図の作成要求が入力されると、制御部３００は、記録図作成部３２０を介して、データベース１３０から不具合箇所のデータを抽出し、図７〜図９に示す各種記録図を作成して表示部１１０に表示させ、プリンタに出力する。図７に示す検査記録一覧表１３１は、データベース１３０から不具合箇所のデータのみを抽出して一覧にして表示したものである。なお、図示はしないが、「処置」項目に記載された施工業者別に一覧表を作成した場合には、施工業者への修理指示書として適用することができ、施工業者に対して修理箇所を正確に伝えることができる一方、施工業者ごとの不具合発生件数をすみやかに把握することができる。
【００３７】
また、図８に示す工程別検査記録図１３２は、コンクリート工事、ボード工事、クロス工事といった各工程別に不具合箇所の撮像データを抽出したものであり、工程ごとに時系列に撮像データを表示したものである。また、図９に示すフロア別検査記録図は、建物のフロア（階）別に不具合箇所の撮像データを抽出して表示したものである。なお、図９では１階の記録図のみを示している。このような記録図を作成することにより、各施工現場の進捗状況、トラブル等、各現場の様子や稼動状況を即座に把握することができる。
【００３８】
施工業者によって不具合箇所の修理がなされると、検査者は修理箇所のチェックを行うために再び建設現場で検査を行うことになる。
【００３９】
ＰＣ端末装置１００の制御部３００は、図面データ作成部３１０を介して、再検査用図面データを作成する。図面データ作成部３１０では、図面データ記憶部１４２から緯度経度座標が付与された図面データ２５を読み出すとともに、データベース１３０からフロア別に不具合箇所の検査情報を抽出し、不具合箇所の緯度経度座標を図面データ上に付与する。これによりフロアごとに不具合箇所の緯度経度座標が付与された再検査用図面データが作成される。この再検査用図面データは、ＩＦ部１８０，１８を介してＰＣ端末装置１００から携帯端末装置１０に転送され、携帯端末装置１０の図面データ記憶部１５に格納される。
【００４０】
次に、図５を参照しながら、建設現場において不具合箇所の再検査が行われる場合における携帯端末装置１０の制御部３０の動作について説明する。
【００４１】
検査者が建設現場において携帯端末装置１０を起動させると、制御部３０は、「新規の検査」又は「再検査」を検査者に選択させる画面を表示させる（ステップＳ０１）。検査者によって「再検査」が選択されると（ステップＳ０１：ＮＯ）、制御部３０は、表示部１１の画面上にフロアリストを表示させる（ステップＳ１２）。検査者によってあるフロアが選択されると（ステップＳ１３：ＹＥＳ）、制御部３０は、選択されたフロアの再検査用図面データを表示部１１の画面上に表示させる（ステップＳ１４）。表示部１１に表示された再検査用図面データ２６の一例を図１０に示す。図１０に示すように、不具合箇所の緯度経度座標に対応する部位には、チェックマーク２７が表示される。あるチェックマーク２７が検査者によって選択されると（ステップＳ１５：ＹＥＳ）、制御部３０は、「確認」、「コメント」、「写真」の項目からなるチェック用コメントボックス２８を表示させ、検査者からの入力待ち状態となる（ステップＳ１６）。検査者によって修理箇所が是正されたことが確認され、チェック用コメントボックス２８の「確認」欄に確認済みのチェックが入力され、「コメント」欄にコメントが入力されると（ステップＳ１６：ＹＥＳ）、制御部３０はこれらの再検査情報を記憶部１４に格納するとともに、撮像部１３を起動させる（ステップＳ１７）。検査者によって撮像部１３の撮影ボタンが押下されると（ステップＳ１８：ＹＥＳ）、制御部３０は、撮像部１３において撮像データを作成させる。撮像部１３はこの撮像データを撮像日時とともにメモリに記憶する。次いで、制御部３０は、記憶部１４に格納された再検査情報を読み出し、撮像部１３のメモリに記憶された撮像データに再検査情報を対応付け、これを建物検査情報記憶部１７に格納する（ステップＳ１９）。なお、チェック用コメントボックス２８の「写真」欄に撮影済みのチェックが入力されると、制御部３０は、当該検査位置の再検査が終了したと判断し、当該検査位置のチェックマーク２７を非表示にする。次いで、選択されたフロアの不具合箇所の再検査を継続させる場合には（ステップＳ２０：ＮＯ）、ステップＳ１４以降の処理を繰り返す。一方、選択されたフロアの再検査が終了した場合には（ステップＳ２０：ＹＥＳ）、再検査を終了させるか否かを検査者に選択させる画面を表示させる（ステップＳ２１）。ここで、検査者によって再検査終了が選択された場合には（ステップＳ２１：ＹＥＳ）、再検査を終了させる。一方、再検査を継続させる場合には（ステップＳ２１：ＮＯ）、ステップＳ１２に戻って再検査用図面データを表示させ、以降の処理を実行する。
【００４２】
なお、再検査が行われている間に、再検査箇所以外に、新たに別の箇所で不具合が見つかる可能性もある。すなわち、ステップＳ１５において、チェックマーク２７が検査者によって選択されずに、チェックマーク２７以外の部分（すなわち新たな不具合箇所）が選択された場合には、ステップＳ０８〜ステップＳ１０の処理を実行し（ステップＳ２２）、ステップＳ２１に進む。
【００４３】
建設現場での再検査が終了すると検査者は事務所に戻り、携帯端末装置１０が取得した再検査情報及び新規の建物検査情報を、事務所に設置されたＰＣ端末装置１００に転送する。ＰＣ端末装置１００の制御部３００は、ＩＦ部１８０を介して携帯端末装置１０から再検査情報を受け取ると、再検査情報のＩＤ番号と、データベースのＩＤ番号を照合し、「確認」、「コメント」、「確認日」、「是正写真」の項目ごとに再検査情報をデータベース１３０に格納する。検査者によってデータベーステーブルの表示要求が入力されると、制御部３００は、図１１に示すデータベーステーブルを表示部１２０の画面上に表示させる。図１１に示すように、データベース１３０には、建物検査情報、不具合箇所に対する処置情報、及び、再検査情報のすべてが格納される。
【００４４】
以上説明したように、本実施の形態の携帯端末装置１０によれば、表示部に表示された図面データ上の検査位置が入力された場合に撮像部を起動させ、撮像部によって撮像された撮像データを、検査位置の緯度経度座標及び検査日時に対応付けて記憶させるようにしたので、個々の撮像データが、どの建物のどの箇所をいつ撮影したものであるかが一意に定まる。その結果、検査情報が膨大な数になる場合であっても、これらを正確に、且つ、効率よく管理することができるようになる。
【００４５】
さらに、複数の建物の検査情報を、緯度経度座標という共通の座標でとらえることにより、これらを統一的に管理することができる。
【００４６】
さらに、本実施の形態の携帯端末装置１０によれば、図面データ上に緯度経度座標をブロック単位で付与したことで、図面データ上のすべての点に対して緯度経度が付与されるため、図面データ上の任意の点（位置）における緯度経度座標を取得することができる。従って、例えば配筋検査等のように予め決められた箇所を検査する場合のみならず、傷、へこみ等の設計仕様上出てこない不具合箇所や、日常的な点検時に予期せず見つかった不具合箇所についても、撮像データ、検査位置データ及び検査日時を対応付けて管理することができるから、記録作業の効率を大幅に向上させることができる。
【００４７】
加えて、本実施の形態の携帯端末装置１０では、検査対象となる建物が複数階を有する場合には、表示部１１に表示された図面データ２５上の検査位置が入力され且つフロアが選択された場合に、撮像部１３を起動させるようにした。その結果、平面の位置データである緯度経度座標と高さの位置データであるフロア情報が撮像データに付加されることになるから、撮像データと検査位置データとの対応付けをさらに正確に行うことができる。
【００４８】
なお、上記実施の形態では、図面データ２５をＰＣ端末装置１００の図面データ作成部３１０で作成し、作成した図面データをＰＣ端末装置１００からＩＦ部１８０，１８を介して携帯端末装置１０の図面データ記憶部１５に格納するようにしたが、これに限定されるものではない。例えば、図面データ２５をＰＣ端末装置１００以外で作成して、携帯端末装置１０に送信するようにしてもよい。また、携帯端末装置１０の制御部３０に図面データ作成部を設け、記憶部１４に地図データ及び建物の平面図データを格納する構成とすれば、携帯端末装置１０で図面データを作成することも可能である。
【００４９】
また、上記実施の形態では、撮像部１３を備えた携帯端末装置１０を適用したが、携帯端末装置１０と撮像部１３が必ずしも一体である必要はなく、携帯端末装置１０とは個別にディジタルカメラを用意し、有線又は無線通信手段により互いにデータの送受信を行う構成としてもよい。
【図面の簡単な説明】
【００５０】
【図１】図１は、本発明の実施の形態である建物検査情報取得装置と、建物検査情報管理装置のブロック図である。
【図２】図２は、本発明の実施の形態である建物検査情報取得装置の斜視図である。
【図３】図３は、撮像データの表示の一例を示す図である。
【図４】図４は、建物検査情報管理装置で作成される検査情報データベースのテーブル構造を示す図である。
【図５】図５は、本発明の実施の形態である建物検査情報取得装置の制御部により実行される処理を示す概略フローチャートである。
【図６】図６は、建物検査情報管理装置で作成される検査情報データベースのテーブル構造を示す図である。
【図７】図７は、建物検査情報をもとに作成される検査記録一覧表の一部を示した図である。
【図８】図８は、建物検査情報をもとに作成される工程別検査記録図である。
【図９】図９は、建物検査情報をもとに作成されるフロア別検査記録図である。
【図１０】図１０は、再検査用図面の表示の一例を示す図である。
【図１１】図１１は、建物検査情報管理装置で作成される検査情報データベースのテーブル構造を示す図である。
【符号の説明】
【００５１】
１０  建物検査情報取得装置（携帯端末装置）
１１  表示部
１２  入力部
１３  撮像部
１４  記憶部
１５  図面データ記憶部
１６  検査位置データ記憶部
１７  建物検査情報記憶部
１８  ＩＦ部
２１  建物検査情報取得装置の前面パネル
２３  撮像データ
２５  図面データ
２５ａ  ブロック
２６  再検査用図面データ
２７  チェックマーク
２８  チェック用コメントボックス
３０  制御部
３１  検査位置データ付与部
１００  建物検査情報管理装置
１１０  表示部
１２０  入力部
１３０  検査情報データベース
１４０  記憶部
１４１  地図データ記憶部
１４２  図面データ記憶部
１８０  ＩＦ部
３００  制御部
３１０  図面データ作成部
３２０  管理図作成部
【図１】
2008197750.tif 000003
【図２】
2008197750.tif 000004
【図３】
2008197750.tif 000005
【図４】
2008197750.tif 000006
【図５】
2008197750.tif 000007
【図６】
2008197750.tif 000008
【図７】
2008197750.tif 000009
【図８】
2008197750.tif 000010
【図９】
2008197750.tif 000011
【図１０】
2008197750.tif 000012
【図１１】
2008197750.tif 000013